(57)【要約】【課題】使い勝手がよいコネクタサポートを提供する。【解決手段】机は強度メンバーとしてのリアビーム６を有する。リアビーム６には、前向き突部２１ａで隔てられた上下の蟻溝２２，２３が形成されている。コンセント２９が固定されるコネクタサポート１１は前倒れ姿勢であり、後端に設けた係合片１１ｂが前向き突部２１ａに上と前から重なっている。係合片１１ｂは、前向き突部２１ａに上から嵌まるストッパー片１１ｃを有する。コネクタサポート１１の係合片１１ｂには、天板支持ブラケット９における嵌合部９ａの張り出し部９ｄが上から重なっている。このため、コネクタサポート１１は上向き回動不能に保持されている。従って、プラグ３１を片手でコンセント２９に抜き差しできる。【選択図】図７
2013094237.tif 000002
【特許請求の範囲】
【請求項１】
天板の後端部の下方に左右横長のリアビームを有しており、前記リアビームに、電源用タップ又は他のケーブル接続具を取付け可能なコネクタサポートが、手前側からの嵌め込み操作によって取り付けられている構成であって、
前記リアビームには、手前に開口した蟻溝又は手前に突出した凸条より成るビーム側係合部が左右方向に長く延びるように形成されている一方、
前記コネクタサポートには、前記ビーム側係合部に嵌合して前記コネクタサポートを下向き倒れ不能及び手前に抜け不能に保持するコネクタ側係合部が形成さており、かつ、コネクタサポートは姿勢保持手段によって上向き回動不能に保持されている、
机。
【請求項２】
前記ビーム側係合部は開口部の上下幅より奥部の上下幅が大きい蟻溝であって、前記コネクタ側係合部は前記蟻溝の内部に入り込んでおり、前記蟻溝に前向き抜け不能に嵌まった前記姿勢保持手段で前記コネクタ側係合部を上から押さえ保持することにより、前記コネクタサポートを上向き回動不能に保持している、
請求項１に記載した机。
【請求項３】
前記蟻溝には、前記天板を下方から支持する天板支持ブラケットの下部が前向き抜け不能に嵌まっており、この天板支持ブラケットのうち前記蟻溝に嵌まっている部分に、前記姿勢保持手段となる押さえ部を設けている、
請求項２に記載した机。
【請求項４】
前記コネクタサポートは板状の形態であり、手前に行くに従って低くなるように側面視で傾斜している、
請求項１〜３のうちのいずれかに記載した机。
【発明の詳細な説明】
【技術分野】
【０００１】
本願発明は、ケーブル類の処理機能を有する机に関するものである。
【背景技術】
【０００２】
机では各種の電気・電子機器が使用される。そこで、これら電気・電子機器に接続されたケーブル類を処理する機能を机に持たせることが行われている。ケーブル類の処理機能の１つとして、電源用タップ（コンセント）や通信線用接続具を天板の下方の空間に配置できるようにすることがある。
【０００３】
その例として特許文献１には、天板の後部下方に左右長手の配線ダクトを配置した構成において、配線ダクトの上部に前向き開口の蟻溝を形成し、この蟻溝の開口縁に、コンセントを抱持したコンセントホルダーを左右スライド自在に装着することが開示されている。
【０００４】
また、特許文献２には、天板の後部下方に配置した仕切り板に左右横長の支持片を固定し、この支持片に上下回動自在に装着した配線支持部材にコンセントを載置することが開示されている。また、特許文献３には、机の後部に配置した幕板の前面にレールを固定し、このレールに受け部材を手前側から取り付けて、受け部材にコンセントを載置することが開示されている。
【先行技術文献】
【特許文献】
【０００５】
【特許文献１】特開平０９−２８９９２３号公報
【特許文献２】特開平１１−１５５６４６号公報
【特許文献３】特開２００１−１１２５４６号公報
【発明の概要】
【発明が解決しようとする課題】
【０００６】
さて、プラグの電極はコンセント（タップ）のばね性を有する電極でしっかりと挟まれており、従って、プラグの抜き差しにはある程度の力が必要である。そして、特許文献２，３ではコンセントは支持部材に単に載せているに過ぎないため、プラグの抜き差しに際しては、コンセントを机上の空間に取り出して一方の手でしっかり掴み、その状態で、他方の手に持ったプラグを抜き差し、それからコンセントをまた支持部材に戻すという手順を採ることになり、このため、プラグの抜き差しが面倒であるという問題がある（コンセントが載った支持部材は上向きに回動するため、コンセントが支持部材に固定されていると、プラグを引くと支持部材が回動してしまい、プラグをコンセントから抜き外すことができない。）。
【０００７】
他方、特許文献１ではコンセントは配線ダクトの上部に前後ずれ移動不能に保持されているため、プラグのみを動かしてコンセントに抜き差しできる。従って、プラグの抜き差しを片手で行うことができる。この点、作業性に優れていると言える。しかし、コンセントはその差し込み穴を手前に向けた姿勢で配置されており、プラグは横向き姿勢にして手前からしか抜き差しできず、机の後ろから手を差し込んで抜き差しすることはできない。このため、使い勝手が悪いという問題がある。
【０００８】
また、コンセントが装着されたコンセントホルダーは配線ダクトの左端部又は右端部からしか抜き差しできないため、コンセントホルダーの取り付け・取り外しに際して配線ダクトを取り外した状態で行わねばならず、このため、コンセントホルダーの取り付け・取り外しが面倒になる可能性もある。更に、コンセントホルダーは配線ダクトに設けた蟻溝を構成する上下の開口縁に嵌め込むようになっているが、コンセントホルダーの保持機能を有する形態にするには、配線ダクトは押し出し加工品とせねばならず、コストや強度に優れた板金加工品では製造が難しいという問題もある。
【０００９】
本願発明はこのような現状に鑑み成されたものであり、使い勝手が良いと共に強度的にも優れた机を提供すること等を目的とするものである。
【課題を解決するための手段】
【００１０】
前記目的を達成すべく本願発明者たちは、各請求項の発明を成した。このうち請求項１の発明は、天板の後端部の下方に左右横長のリアビームを有しており、前記リアビームに、電源用タップ又は他のケーブル接続具を取付け可能なコネクタサポートが、手前側からの嵌め込み操作によって取り付けられている構成において、前記リアビームには、手前に開口した蟻溝又は手前に突出した凸条より成るビーム側係合部が左右方向に長く延びるように形成されている一方、前記コネクタサポートには、前記ビーム側係合部に嵌合して前記コネクタサポートを下向き倒れ不能及び手前に抜け不能に保持するコネクタ側係合部が形成さており、かつ、コネクタサポートは姿勢保持手段によって上向き回動不能に保持されている。
【００１１】
請求項２の発明は請求項１を具体化したものであり、この発明では、前記ビーム側係合部は開口部の上下幅より奥部の上下幅が大きい蟻溝であって、前記コネクタ側係合部は前記蟻溝の内部に入り込んでおり、前記蟻溝に前向き抜け不能に嵌まった前記姿勢保持手段で前記コネクタ側係合部を上から押さえ保持することにより、前記コネクタサポートを上向き回動不能に保持している。
【００１２】
請求項３の発明は請求項２の構成を好適に具体化したもので、この発明では、前記蟻溝には、前記天板を下方から支持する天板支持ブラケットの下部が前向き抜け不能に嵌まっており、この天板支持ブラケットのうち前記蟻溝に嵌まっている部分に、前記姿勢保持手段となる押さえ部を設けている。請求項４の発明は、請求項１〜３のうちのいずれかにおいて、前記コネクタサポートは板状の形態であり、手前に行くに従って低くなるように側面視で傾斜している。
【発明の効果】
【００１３】
本願発明のコネクタサポートは、外力が作用しても上向き回動しないように姿勢が保持されており、従って、プラグをコンセント等の接続後に片手で抜き差しできる。このため使い勝手がよい。また、コネクタサポートはリアビームに手前から取り付けるものであるため、リアビームが脚等に固定された状態でコネクタサポートを取り付け・取り外すことができ。従って、机の組み立てに際してコネクタサポートが邪魔になることもない。
【００１４】
また、コネクタサポートは姿勢保持手段によって上向き回動不能に保持されており、リアビーム自体にコネクタサポートの姿勢保持機能を持たせるものではないため、リアビームは必ずしも複雑な形状である必要はなく、このため、経済性や強度に優れた板金製品とすることも簡単に実現できる。従って、リアビームを机の強度メンバーたる骨組みと成して、これにコネクタサポートを取り付けることで机全体として構造を簡素化するといったことも簡単に実現できる。
【００１５】
請求項２の構成を採用すると、姿勢保持手段はリアビームの蟻溝に嵌まっているため、姿勢保持手段が出っ張ることを防止又は抑制でき、このためケーブル類が姿勢保持手段に引っ掛かるような不具合もない。また、姿勢保持手段は蟻溝に挿入するだけであるため、構造も簡単である。
【００１６】
姿勢保持手段は専用品を使用することも可能であるが、請求項３のように天板支持ブラケットの一部を兼用すると、それだけ構造を簡単になる。しかも、天板支持ブラケットは天板で上向き動不能に保持されているため、コネクタサポートを押さえ保持する機能にも優れている。
【００１７】
コネクタサポートは様々の形態・姿勢を採用できるが、請求項４のように構成すると、コネクタサポートは板金加工で簡単に製造できる。また、コネクタサポートは前下がりに傾斜しているため、プラグの抜き差しするに当たっては、天板の後ろから手を差し入れてプラグを抜き差しすることも、天板の下方に潜り込んでプラグを抜き差しすることも、いずれも採用できる。この面においても使い勝手がよい。
【図面の簡単な説明】
【００１８】
【図１】実施形態に係る机の外観を示す図で、（Ａ）は正面方向からの斜視図、（Ｂ）は分離斜視図である。
【図２】（Ａ）は後ろから見た斜視図、（Ｂ）は後ろからの分離斜視図である。
【図３】（Ａ）は机を内部から見た斜視図、（Ｂ）は側面図、（Ｃ）はケーブル受けを下方から見た斜視図である。
【図４】（Ａ）は配線カバーを下向き開口させた状態での机の後部の斜視図、（Ｂ）は同じく分離斜視図である。
【図５】（Ａ）は配線カバーを上向き開口させた状態での机の後部の斜視図、（Ｂ）は同じく分離斜視図である。
【図６】（Ａ）は配線カバーを上向き開口させた状態での机の後部の斜視図、（Ｂ）は同じく分離斜視図である。
【図７】要部の一部破断分離斜視図である。
【図８】要部の分離斜視図である。
【図９】（Ａ）は図６（Ａ）のIXA-IXA 視断面図、（Ｂ）は図６（Ａ）のIXB-IXB 視断面図である。
【図１０】他の実施形態を示す図である。
【発明を実施するための形態】
【００１９】
次に、本願発明の実施形態を図面に基づいて説明する。以下の説明で方向を特定するため「前後」「左右」の文言を使用するが、これは、机を普通の姿勢で使用する人の向きを基準にしている。従って、机の間口方向が左右方向であり、奥行き方向が前後方向である。前と後ろについては、使用者に近い側を前として、使用者から遠い背面の箇所を後ろとして使用している。
【００２０】
(1).机の概略
図１〜３に示すように、机は平面視四角形（長方形）の天板１とこれを左右両側部において支持する左右の脚２とを有する。天板１は木質系であるが、スチール製のものを使用することも可能である。脚２は、棒状の前後脚支柱３，３′をその上端において水平状の上フレーム４で連結した門型になっており、上フレーム４に前後一対のスペーサ５をボルトで固定し、このスペーサ５に天板１をボルトで固定している。従って、天板１と上フレーム４との間にはケーブル類を挿通できる程度の間隔が空いている。
【００２１】
脚支柱３，３′及び上フレーム４は中空で概ね四角形になっており、両者に嵌入する側面視Ｌ形の連結ブラケットを介して一体に連結されている。また、左右脚２における後部脚支柱３の上部間にはリアビーム６が配置されており、リアビーム６と左右の後部脚支柱３とがボルトで固定されている。なお、リアビーム６は帯状で中空に近い形態になっており、固定手段としては、後部脚支柱３の内側面に、リアビーム６の端部に嵌入する連結用ブラケット突起（図示せず）を固定し、この連結用ブラケット突起にリアビーム６をボルトで固定している。
【００２２】
天板１の後端部のうち左右中間部には、後ろ向きに開口した平面視四角形の切り開き部７を形成しており、この切り開き部７を配線通路と成している。そして、切り開き部７にはこれを塞ぐカバー８を装着している。カバー８は着脱自在である。天板１の後部は、  切り開き部７を形成したことで強度が弱くなるおそれがある。そこで、天板１のうち切り開き部７を挟んだ左右両側の部位は、リアビーム６に取り付けた天板支持ブラケット９で下方から支持されている。
【００２３】
また、リアビーム６の下部には、ケーブル受け１０とその上方に位置したコネクタサポート１１とが取り付けられている。ケーブル受け１０は、リアビーム６に左右スライド自在に取り付けられている。リアビーム６に複数のケーブル受け１０を装着することも可能である。
【００２４】
図４，５に示すように、カバー８は浅いトレー状に形成されており、内部には仕切り１２を設けている。切り開き部７の内周にはカバー受け１３を固定しており、カバー受け１３の左右側部には、カバー８の左右側部を支持する支持片１４が形成されている。また、カバー受け１３のうち手前に位置した基部には、ケーブルＣを捌くための突起１５を設けている。このため、カバー８を取り付けた状態で当該カバーの手前には配線通路が空いている。
【００２５】
カバー８の左右両側面には前後一対ずつの円形の係合凹部１６が形成されている一方、カバー受け１３の左右両側部には、前後一対の係合凹部１６が選択的に嵌まる係合凸部１７が形成されている。前後の係合凹部１６に係合凸部１７が選択的に嵌まることでカバー８の前後位置を２段階に変更できる。また、係合凸部１７は左右方向に撓み変形する舌片１８（図５参照）の先端に形成されており、このため、舌片１８を変形させることにより、カバー８の着脱と前後位置変更とが行われる。
【００２６】
(2).コネクタサポート等の説明
次に、リアビーム６、天板支持ブラケット９、ケーブル受け１０，コネクタサポート１１を、主として図７〜９に基づいて補足説明する。図３（Ａ）に示すように、リアビーム６は、後部脚支柱３の上端部でかつ略後半部に連結されている。そして、図７に明瞭に示すように、リアビーム６は、手前に突出した上下の水平片２０ａ，２０ｂを有するチャンネル状の基板２０を有しており、基板２０の前面に側面視凸形の補強板２１を溶接で固着している。従って、背面には基板２０だけが露出している。
【００２７】
基板２０の上下水平片２０ａ，２０ｂは袋状（中空状）に形成されており、その先端には、それぞれ後ろ向きの折り返し片２０ｃ，２０ｄが形成されている。また、補強板２１は前向き凸部２１ａを有しており、そこで、リアビーム６の内部には、補強板２１は前向き凸部２１ａを挟んだ上下両側に、蟻溝形式の上係合溝２２と下係合溝２３とが形成されている。本実施形態では、上係合溝２２と前向き凸部２１ａとで、請求項に記載したビーム側係合部が構成されている。
【００２８】
リアビーム６は板金製品であるが、基板２０は上下の折り返し部２０ａ，２０ｂを有することに加えて、前向き突部２１ａを有する補強板２１が固着されているため、上下方向及び前後方向の曲げに対して高い強度を有する。
【００２９】
図７，８に示すように、天板支持ブラケット９は、リアビーム６の上係合溝２２に嵌まる嵌合部９ａと、天板１の下面にビス（ボルト）２４で固定される受け部９ｂと、これらを繋ぐ傾斜状のアーム部９ｃとを有している。受け部９ｂは平面視で半分が切り開き部７に露出しており、従って、平面視で略半分の部位が天板１に固定され、平面視で略半分の部位はカバー受け１３に下方から重なっている。受け部９ｂには、ビス２４が貫通する穴が左右一対ずつ空いているが、実際に使用されるのは片側のみである。ビス挿通穴が左右一対ずつ空いているのは、１種類のものを切り開き部７の左右いずれの側にも使用できるようにするためである。
【００３０】
天板支持ブラケット９における嵌合部９ａの背面は、側面視で後ろ向きに膨れた円弧状に形成されている。従って、天板支持ブラケット９をその前部が高くなるように側面視で傾けた姿勢にすることにより、嵌合部９ａを手前側から上蟻溝２２に嵌め込むことができる。また、天板支持ブラケット９の嵌合部９ａはアーム部９ｃの左右両側に突出した張り出し部９ｄを有する。従って、嵌合部９ａとアーム部９ｃとでＴ型の形態を成している（このため、天板１の支持強度に優れている。）。そして、嵌合部９ａの張り出し部９ｄには、リアリアビーム６における基板４０の上折り返し片２０ｃに下方から嵌合する係合段部２５が形成されており、このため、天板支持ブラケット９は下向き倒れ不能に保持されている。
【００３１】
図８に明示するように、天板支持ブラケット９における係合段部２５の左右中間部には位置決めリブ２６を設けている一方、リアビーム６の上折り返し片２０ｃには位置決めリブ２６が嵌まる切欠き２７を形成しており、このため、天板支持ブラケット９は左右動不能に保持されている。また、天板支持ブラケット９の嵌合部９ａのうちアーム部９ｃの後ろに位置した部分は補強板２１の前向き凸部２１ａに上から重なっているが、アーム部９ｃから左右にはみ出た部分の下面は、補強板２１における前向き凸部２１ａの上面との間に若干の隙間が空くような段盗み部２８になっている。
【００３２】
コネクタサポート１１は板金製品であり（樹脂製でもよい）、左右天板支持ブラケット９のアーム部９ｃの間に配置されている。コネクタサポート１１は、コンセント２９を固定できる本体部１１ａを有しており、本体部１１ａの上端に、請求項に記載したコネクタ側係合部の一例として、リアビーム６の上係合溝２２に嵌まる左右一対の係合片１１ｂを一体に形成している。係合片１１ｂは、その後端に下向きのストッパー片１１ｃを有する側面視下向き開口コの字形になっており、リアビーム６を構成する補強板２１の前向き凸部２１ａに、ストッパー片１１ｃが嵌まるストッパー穴３０を形成している。このため、コネクタサポート１１は左右動不能に保持されている。
【００３３】
そして、コネクタサポート１１の係合片１１ｂに、天板支持ブラケット９における嵌合部９ａの張り出し部９ｄが上から重なっている。すなわち、天板支持ブラケット９における嵌合部９ａの段盗み部２８が、コネクタサポート１１の係合片１１ａに上から重なっている。従って、図９（Ｂ）から容易に理解できるように、コネクタサポート１１は上向きに起こし不能に保持されている。従って、本実施形態では、天板支持ブラケット９における嵌合部９ａの張り出し部９ｄが、請求項に記載した姿勢保持手段を構成している。
【００３４】
コネクタサポート１１の本体部１１ａは、手前に行くに従って低くなるように傾斜している。また、コネクタサポート１１の下端部には、コンセント（テーブルタップ）を取り付けるための長穴３２が空いている。また、コネクタサポート１１の下端は上向きに曲げている（上向き片を符号１１ｄで示す。）。この上向き片１１ｄの存在により、コネクタサポート１１の剛性が高くなっていると共に、ケーブル受け１０から引き出されたケーブルＣが擦れて傷付くことも防止されている。
【００３５】
ケーブル受け１０は上向きに開口したトレー状の形態を成しており、その後端には、リアリアビーム６の下係合溝２３に嵌まる嵌合部１０ａを設けている。図３（Ｂ）及び図９（Ａ）に示すように、嵌合部１０ａの下面には、リアビーム６の下折り返し片２０ｄに後ろから引っ掛かる係合爪３３を設けている。このため、ケーブル受け１０はリアビーム６に抜け不能に保持される。なお、ケーブル受け１０には、ケーブルの他にコネクタ等の各種の部材を載置できる。
【００３６】
ケーブル受け１０の係合爪３３は、上下に撓み変形可能な後ろ向きの舌状片３４の後端に設けており、ケーブル受け１０をリアビーム６に向けて強く押し当てると、舌状片３４が弾性変形することで、係合爪３３が下折り返し片２１ｄに係合する。舌状片３４の付け根はリアビーム６の手前に位置しており、このため、舌状片３４を指又はドライバ等で上向きに押し上げることで、係合爪３３を下折り返し片２１ｄから離脱させることができる。
【００３７】
(3).まとめ
以上の構成において、机上で使用する電気・電子機器の電源ケーブルは、プラグ３１を介してコンセント２９に接続できる。この場合、コネクタサポート１１は天板支持ブラケット９の張り出し部９ｄで上から押さえ保持されているため、上向きに回動させることができない。このため、プラグ３１をコンセント２９に抜き差しするに際して、片手でプラグ３１をコンセント２９に抜き差しできる。
【００３８】
プラグ３１の抜き差しは、カバー８を取り外して切り開き部７に手を差し込むことで、上から行える。この場合、人は机の手前に立って身体を前に倒して抜き差し作業を行うことになり、従って、人の視線は天板の手前から後ろに斜め下方に向かう状態になり、このため、コネクタサポート１１が水平であるとコンセント２９の穴が少し視認できにくい場合である。換言すると、身体を天板の後部に大きく倒さないとコンセント２９を視認しにくい場合である（特に、身長が低いと視認しにくい。）。
【００３９】
これに対して本実施形態のようにコネクタサポート１１を前倒し状に傾斜させると、コンセント２９の穴が人の顔と相対向する状態になるため、身体を大きく倒さなくてもプラグ３１の抜き差しを簡単に行える。また、机の下方に潜ってプラグ３１を抜き差しする場合も、コンセント２９の穴を容易に視認できるため、作業を行いやすい。本実施形態のように、天板支持ブラケット９の一部をコネクタサポート１１の姿勢保持手段に兼用させると、それだけ構造が簡単になる。
【００４０】
天板支持ブラケット９における嵌合部９ａの張り出し部９ｄに、コネクタサポート１１における係合片１１ｂに前から当たる補助押圧部を設けることも可能である。かくすると、コネクタサポート１１の姿勢保持機能をより一層向上できる。
【００４１】
図９（Ａ）に示すように、ケーブル受け１０はコネクタサポート１１の手前に突出している。すなわち、リアリアビーム６からコネクタサポート１１が手前に突出する寸法よりも、リアリアビーム６からケーブル受け１０が手前に突出する寸法が大きくなっている。このため、コネクタサポート１１から垂れ落ちたケーブルＣをケーブル受け１０で受けることができる。このため、ケーブルＣが床に垂れ落ちることを防止できる。敢えて述べるまでもないが、コネクタサポート１１には、コンセント２９の他に、通信用コネクタやハブ、ルータ等の各種のコネクタ類を固定することができる。
【００４２】
(4).他の実施形態
図１０では他の実施形態を示している。このうち（Ａ）に示す第２実施形態は、ビーム側係合部として前向き突条３５を形成する一方、コネクタサポート１１に、コネクタ側係合部の例として、前向き突条３５に嵌まるコの字形の抱持部３６を形成し、抱持部３６の上部後端には前向き突条３５に嵌入する下向きのストッパー片３６ａを形成し、抱持部３６の下部後端には下向き片３６ｂを設けている。
【００４３】
そして、姿勢保持手段の一例として、コネクタサポート１１の左右両側部に、前後長手の軸心回りに回動する姿勢保持片３７を取り付けている。姿勢保持片３７は、コネクタサポート１１の上面に重なった倒れ姿勢は上向きに延びる起立姿勢とに選択自在であり、姿勢保持片３７を倒した姿勢でコネクタサポート１１の取り付けを行い、次いで、姿勢保持片３７を起こして起立姿勢に保持すると、コネクタサポート１１を上下回動不能に保持される。
【００４４】
（Ｂ）（Ｃ）に示す第３実施形態では、ビーム側係合部として蟻溝３８を形成する一方、コネクタサポート１１に、蟻溝３８に嵌まる角形の嵌入部３９を形成している。更に、この実施形態では姿勢保持手段して、軸４０ａの両端にそれぞれ頭４０ｂを有するロックピン４０が使用されており、コネクタサポート１１とこれが重なる前向き凸部２１ａとに、ロックピン４０が嵌まるロック穴４１を空けている。ロック穴４１は、ピン４０の頭４０ｂが遊嵌する大径部４１ａと、これに連続して下向きに延びる細幅部４１ｂとを有しており、ピン４０の軸４０ａを大径部４１ａに嵌めてから下方にずらすことにより、コネクタサポート１１は上向き回動不能に保持される。
【００４５】
本願発明は、上記の実施形態の他にも様々に具体化できる。例えばリアビームやコネクタサポートは様々の形態に具体化できる。リアビームを押し出し成形品としたり、コネクタサポートを樹脂製とすることも可能である。
【産業上の利用可能性】
【００４６】
本願発明は実際に机に具体化できる。従って、産業上、利用できる。
【符号の説明】
【００４７】
１  天板
２  支持体の一例としての脚
３  後部脚支柱
６  リアビーム
７  切り開き部（配線通路）
８  カバー
９  天板支持ブラケット
９ａ  嵌合部
９ｄ  姿勢保持手段の一例としての張り出し部
１０  ケーブル受け
１１  コネクタサポート
１１ａ  コネクタサポートの基板
１１ｂ  係合片
１１ｃ  ストッパー片
２０  リアビームの基板
２１  補強板
２１ａ  前向き突部
２２  上蟻溝
２８  段盗み部
２９  コンセント
３１  プラグ
３０  ストッパー穴
【図１】
2013094237.tif 000003
【図２】
2013094237.tif 000004
【図３】
2013094237.tif 000005
【図４】
2013094237.tif 000006
【図５】
2013094237.tif 000007
【図６】
2013094237.tif 000008
【図７】
2013094237.tif 000009
【図８】
2013094237.tif 000010
【図９】
2013094237.tif 000011
【図１０】
2013094237.tif 000012